(57)【要約】【課題】筐体を載置場所に載置した場合であっても、音を遮断することなく、音量を確保できるようにする。【解決手段】放音構造は、載置場所に載置される第１筐体１と、第１筐体１内に収容されたスピーカ６１と、第１筐体１の載置面１ｃに設けられた凹部１ｄと、凹部１ｄ内に設けられ、スピーカ６１の出力音を第１筐体１内から凹部１ｄ内に出す放音孔１ｅと、凹部１ｄの縁に設けられ、凹部１ｄから第１筐体１の載置面１ｄ外に音を導く導音部と、を備える。【選択図】図２２
2010263525.tif 000002
【特許請求の範囲】
【請求項１】
載置場所に載置される筐体と、
前記筐体内に収容されたスピーカと、
前記筐体の載置面に設けられた凹部と、
前記凹部内に設けられた前記スピーカの放音孔と、
前記凹部の縁に設けられ、前記凹部から前記筐体の載置面外に音を導く導音部と、を備えることを特徴とする筐体の放音構造。
【請求項２】
前記筐体の載置面の反対側である前記筐体の裏面に重ねられた第２筐体と、
前記第２筐体に連結されたヒンジケースと、
前記筐体の端部に二股に分かれた状態に設けられ、前記ヒンジケースに回転可能に連結された一対の突出部と、を更に備え、
前記ヒンジケースが、前記筐体の端部との間に隙間を置いて前記一対の突出部の間に配置され、
前記導音部が、前記凹部から前記ヒンジケースと前記筐体の端部との間の隙間に音を導き、その隙間に導かれた音がその隙間によって前記筐体の裏面側に導かれることを特徴とする請求項１に記載の筐体の放音構造。
【請求項３】
前記ヒンジケースに設けられ、前記筐体の裏面側で前記突出部に対向した第２突出部を更に備え、
前記突出部と前記第２突出部との間に第２隙間が形成され、前記ヒンジケースと前記筐体の端部との間の隙間によって前記筐体の裏面側に導かれた音が前記第２隙間によって前記突出部と前記第２突出部との間の外に導かれることを特徴とする請求項２に記載の筐体の放音構造。
【請求項４】
前記筐体の載置面を載置場所に載せた場合に、前記突出部と前記載置場所との間に第３隙間が形成され、前記導音部によって前記ヒンジケースと前記筐体の端部との間の隙間に導かれた音が前記第３隙間によって前記突出部と前記載置場所との間の外に導かれることを特徴とする請求項２又は３に記載の筐体の放音構造。
【請求項５】
前記第２筐体が前記ヒンジケースとともに前記筐体の裏面に重なった状態から回転させた場合に、前記ヒンジケースが前記筐体の載置面よりも突き出ることを特徴とする請求項２から４の何れか一項に記載の筐体の放音構造。
【請求項６】
請求項１から５の何れか一項に記載の筐体の放音構造を備えることを特徴とする電子機器。
【発明の詳細な説明】
【技術分野】
【０００１】
本発明は、筐体の放音構造及び電子機器に関する。
【背景技術】
【０００２】
特許文献１に記載の携帯電話では、表示部筐体の内部にスピーカが設けられ、そのスピーカの放音孔が表示部筐体の背面に設けられている。特許文献１に記載の携帯電話では、表示部筐体が操作部筐体に折り畳み可能とされているので、操作部筐体を机等の載置場所に載置して、表示部筐体を起こし上げれば、放音孔が載置場所に塞がられず、音量低下を招かない。
【先行技術文献】
【特許文献】
【０００３】
【特許文献１】特開２００３−１５８５６５号公報
【発明の概要】
【発明が解決しようとする課題】
【０００４】
ところが、スピーカの設置箇所が制限されることによって、スピーカを操作部筐体の内部に設け、そのスピーカの放音孔を操作部筐体の背面に設けなければならないことがある。その場合、操作部筐体を載置場所に載置すると、放音孔が載置場所によって塞がれてしまい、音が遮断されて、音量低下を招く。
【０００５】
そこで、本発明の課題は、筐体を載置場所に載置した場合であっても、音を遮断することなく、音量を確保できるようにすることである。
【課題を解決するための手段】
【０００６】
以上の課題を解決するために、請求項１に係る発明によれば、筐体の放音構造が、載置場所に載置される筐体と、前記筐体内に収容されたスピーカと、前記筐体の載置面に設けられた凹部と、前記凹部内に設けられた前記スピーカの放音孔と、前記凹部の縁に設けられ、前記凹部から前記筐体の載置面外に音を導く導音部と、を備えることとした。
【０００７】
請求項２に係る発明によれば、請求項１において、前記放音構造が、前記筐体の載置面の反対側である前記筐体の裏面に重ねられた第２筐体と、前記第２筐体に連結されたヒンジケースと、前記筐体の端部に二股に分かれた状態に設けられ、前記ヒンジケースに回転可能に連結された一対の突出部と、を更に備え、前記ヒンジケースが、前記筐体の端部との間に隙間を置いて前記一対の突出部の間に配置され、前記導音部が、前記凹部から前記ヒンジケースと前記筐体の端部との間の隙間に音を導き、その隙間に導かれた音がその隙間によって前記筐体の裏面側に導かれることとした。
【０００８】
請求項３に係る発明によれば、請求項２において、前記放音構造が、前記ヒンジケースに設けられ、前記筐体の裏面側で前記突出部に対向した第２突出部を更に備え、前記突出部と前記第２突出部との間に第２隙間が形成され、前記ヒンジケースと前記筐体の端部との間の隙間によって前記筐体の裏面側に導かれた音が前記第２隙間によって前記突出部と前記第２突出部との間の外に導かれることとした。
【０００９】
請求項４に係る発明によれば、請求項２又は３において、前記筐体の載置面を載置場所に載せた場合に、前記突出部と前記載置場所との間に第３隙間が形成され、前記導音部によって前記ヒンジケースと前記筐体の端部との間の隙間に導かれた音が前記第３隙間によって前記突出部と前記載置場所との間の外に導かれることとした。
【００１０】
請求項５に係る発明によれば、請求項２から４の何れか一項において、前記第２筐体が前記ヒンジケースとともに前記筐体の裏面に重なった状態から回転させた場合に、前記ヒンジケースが前記筐体の載置面よりも突き出ることとした。
【００１１】
請求項６に係る発明によれば、電子機器が、請求項１から５の何れか一項に記載の筐体の放音構造を備えることとした。
【発明の効果】
【００１２】
本発明よれば、筐体を載置場所に載置した場合であっても、音が遮断されず、音量を確保することができる。
【図面の簡単な説明】
【００１３】
【図１】本発明を適用した携帯機器の一実施形態の構成を示すもので、携帯電話の折り畳み状態を示した斜視図である。
【図２】図１の携帯電話を縦方向に開放した状態を示した斜視図である。
【図３】図１の携帯電話を横方向に開放した状態を示した斜視図である。
【図４】図１の携帯電話のムービースタイル状態を示した斜視図である。
【図５】図１の折り畳み状態でのヒンジユニットを示した図である。
【図６】図１の折り畳み状態での配線の仕方を示した図である。
【図７】図５のヒンジユニットと図６の配線を組み合わせた拡大斜視図である。
【図８】図７のヒンジユニットの折り畳み状態に対応した斜視図である。
【図９】図１の折り畳み状態の携帯電話を他端側から見た拡大図である。
【図１０】図２の縦方向開放状態での画面とカメラの方向を示した図である。
【図１１】図１０と反対側から見た図である。
【図１２】図２の縦方向開放状態での携帯電話を載置場所に載置した状態を示した斜視図である。
【図１３】図８のヒンジユニットの縦方向開放状態に対応した図である。
【図１４】図３の横方向開放状態でのブックスタイルを示した図である。
【図１５】図８のヒンジユニットのブックスタイルに対応した図である。
【図１６】図４のムービースタイルでの画面とカメラの方向を示した図である。
【図１７】図１６の上方向から見た平面図である。
【図１８】図１６のムービースタイルでの反対側から見た持ち方を示した図である。
【図１９】図８のヒンジユニットのムービースタイルに対応した図である。
【図２０】図１の折り畳み状態の携帯電話を斜め下から見た図面である。
【図２１】図１の折り畳み状態の携帯電話を斜め下から見た図面である。
【図２２】図１の携帯電話の下面側を拡大して示した図面である。
【図２３】図１の携帯電話の第１筐体の長手方向に垂直な面の断面図である。
【図２４】図１の折り畳み状態の携帯電話を斜め上から見た図面である。
【図２５】図３の横方向開放状態でのブックスタイルの携帯電話を斜め上から見た図面である。
【発明を実施するための形態】
【００１４】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００１５】
（実施形態）
図１から図４は本発明を適用した携帯機器の一実施形態の構成として携帯電話を示したもので、１は第１筐体、２は第２筐体、３はヒンジケース、４は操作部、５は表示部、６はアンテナ、７は入力部（撮影部）、８は照明部である。
【００１６】
携帯電話は、図示のように、第１筐体１と第２筐体２とヒンジケース３は後述する２軸ヒンジユニット１０を介して結合されている。第１筐体１には操作部４が設けられ、第２筐体２には表示部５及びアンテナ６が設けられ、ヒンジケース３には入力部としての撮影部７及び照明部８が設けられている。
【００１７】
図５及び図８はヒンジケース３の内部に組み込まれる２軸ヒンジユニット１０を示したもので、１１は第１回転軸、１２は第２回転軸、１３はヒンジケース３のフレーム、２１は第１取付部材、２２は第２取付部材である。
【００１８】
２軸ヒンジユニット１０は、図示のように、左右一対の第１回転軸１１と、右側の第２回転軸１２と、中央のヒンジケース３のフレーム１３と、第１回転軸１１の各々に設けた左右一対の第１取付部材２１と、第２回転軸１２に設けた第２取付部材２２とから構成される。
【００１９】
すなわち、第１回転軸１１は、軸線を左右方向に向けた中空状のもので、フレーム１３の左右両側面にネジ止め固定したブラケット１４の下部に軸受部材を介して各々回転自在に一体化されている。この第１回転軸１１には、その軸線に対し直交方向に延びて第１筐体１の内部にネジ止め固定されるアーム状の第１取付部材２１が各々圧入嵌合して一体化されている。この第１取付部材２１の回転角度は、第１回転軸１１の軸受部材との係合構造により約１８０度等に制限される。なお、図示左側の第１回転軸１１は、９０度等の所定角度に対応するクリック感が得られる軸受部材１５を介してフレーム１３に組み付けられている。
【００２０】
そして、第２回転軸１２は、軸線を前後方向に向けた中空状のもので、フレーム１３の図示右側面のブラケット１４の上部に一体に形成した突出部１６に軸受部材を介して回転自在に一体化されている。この第２回転軸１２には、その軸線に対し直交方向に延びて第２筐体２の内部にネジ止め固定されるアーム状の第２取付部材２２が圧入嵌合して一体化されている。この第２取付部材２２の回転角度は、第２回転軸１２の外周に形成された溝１２ａに突出部１６に設けられた係合片１６ａが係合することで制限される。
【００２１】
図６は第１配線３１及び第２配線３２を示し、図７は２軸ヒンジユニット１０と第１配線３１及び第２配線３２を組み合わせた図である。
【００２２】
すなわち、第１配線３１は、第１筐体１内の基板に接続されるコネクタ３１ａを一端に備えてヒンジケース３内の基板に接続されるコネクタ３１ｃを他端に備えるもので、図７において右側の第１回転軸１１の中空部内に通されている。
【００２３】
そして、第２配線３２は、第１筐体１内の基板に接続されるコネクタ３２ａを一端に備えて第２筐体２内の基板に接続されるコネクタ３２ｂを他端に備えるもので、図７において右側の第１回転軸１１の中空部内に通して第２回転軸１２の中空部内に通されている。
【００２４】
また、第１筐体１内の基板に接続される端子３３ａを一端に備えて第２筐体２内の基板に接続される端子３３ｂを他端に備えるアンテナ線３３も、第２配線３２と同様に、図７において右側の第１回転軸１１の中空部内に通して第２回転軸１２の中空部内に通されている。
【００２５】
図９は図１の折り畳み状態の携帯電話を他端側から見て拡大したもので、ヒンジケース３は下ケース３４及び上ケース３５から構成されていて、上ケース３５より幅狭の下ケース３４は第１筐体１の端部に形成した凹所１ａに位置している。この下ケース３４と第１筐体１の凹所１ａの両側に位置する突出部１ｂとの間に第１回転軸１１が貫通して、これにより、ヒンジケース３は第１筐体１に対し第１回転軸１１を中心に縦方向に開閉可能である。
【００２６】
また、図示のように、折り畳み状態において、上ケース３５は第２筐体２の延長上に位置している。この上ケース３５と第２筐体２との一側部の間に第２回転軸１２が貫通して、これにより、第２筐体２はヒンジケース３に対し一側部の第２回転軸１２を中心に横方向に開閉可能である。
【００２７】
そして、下ケース３４の上部左右には、上ケース３５の開放部を閉じる第２の突出部３４ａが形成されており、この突出部３４ａの下面にゴム等の柔らかい材質の緩衝材によるバンパー２３が設けられている。
【００２８】
さらに、下ケース３４の突出部３４ａと上ケース３５の側面との間に、ロック解除ボタン２４が組み付けられている。このロック解除ボタン２４のスライド操作により、ヒンジケース３の端面から突出する方向にバネで付勢されて、第２筐体２の端面に形成された凹部（不図示）に係合するロック爪（不図示）を後退させてロックが解除される。
【００２９】
先ず、図１及び図９は第１筐体１上に第１筐体２及びヒンジケース３の上ケース３５を重ねて折り畳んだ状態を示したもので、図８はその折り畳み状態に対応した２軸ヒンジユニット１０を示したものである。すなわち、フレーム１３から第１取付部材２１及び第２取付部材２２は同一方向に平行に向いている。
【００３０】
次に、図２及び図１０から図１２は第１筐体１に対し第２筐体２及びヒンジケース３を、第１回転軸１１を中心に縦方向に開放した通常オープンスタイルを示したもので、図１０及び図１１において、矢印Ａで示す方向は撮影部７の向きを示し、矢印Ｂで示す方向は表示部５の画面の向きを示している。そして、図１３はその通常オープンスタイルに対応した２軸ヒンジユニット１０を示したものである。すなわち、フレーム１３に対し第１取付部材２１と第２取付部材２２が互いに反対方向に向いている。
【００３１】
以上の通常オープンスタイルにおいて、第１筐体１に対し第２筐体２及びヒンジケース３を、第１回転軸１１を中心に縦方向に開く際に、バンパー２３は、第１筐体１の突出部１ｂの背面に当接して衝撃を緩衝する。
このように、通常オープンスタイルで緩衝するバンパー２３は、デザイン性を考慮し、折り畳み状態においてヒンジケース３の内側面に設けられて外観から見えない位置に配置されている。
【００３２】
次に、図３及び図１４は第１筐体１及びヒンジケース３に対し第２筐体２を、第２回転軸１２を中心に横方向に開放して表示部５を横長としたブックスタイルを示したもので、図１５はそのブックスタイルに対応した２軸ヒンジユニット１０を示したものである。すなわち、折り畳み状態時におけるフレーム１３及び第１取付部材２１に対し第２取付部材２２が一側方に向いている。
【００３３】
次に、図４及び図１６から図１８は第１筐体１に対し第２筐体２及びヒンジケース３を、第１回転軸１１を中心に９０度回転して表示部５を横長としたムービースタイルを示したもので、図１６及び図１７において、矢印Ａで示す方向は撮影部７の向きを示し、矢印Ｂで示す方向は表示部５の画面の向きを示している。そして、図１９はそのムービースタイルに対応した２軸ヒンジユニット１０を示したものである。すなわち、折り畳み状態時におけるフレーム１３及び第２取付部材２２に対し第１取付部材２１が直角方向に向いている。
【００３４】
そして、ムービースタイル時においては、図１６から図１８に示すように、第１筐体１の上面でヒンジケース３に近い部分に設けたシャッターキー４１及びズームキー４２と、同じく第１筐体１の内側面で操作部４の上側に並んだサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９が使用される。
【００３５】
なお、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分には、その旨印刷表示されている。
【００３６】
また、第１筐体１の内側面で操作部４の前後には上下方向に沿ってバンパー５１・５２が設けられている。このバンパー５１・５２は、第１筐体１に対し第２筐体２及びヒンジケース３を折り畳む際の衝撃を緩衝するもので、さらに、第１筐体１を構成する下ケース及び上ケースを合体固定するネジを隠すネジ隠しも兼用する。
【００３７】
以上のムービースタイルにおいて、図１８に仮想線で示したように、親指をバンパー５１に沿わせて、ズームキー４２に人差し指を、さらにシャッターキー４１に中指をそれぞれ沿わせて右手で持つことができ、すなわち、右手で持ち易いグリップ感を具備したムービースタイルを実現できる。この場合、ヒンジケース３に近い側のバンパー５１の表面には、親指に対し滑り止めとして機能するシボ加工が施されている。
【００３８】
なお、第１筐体１のホワイトバランスキー４８の上方に離間した部分にマイク穴５３が設けられている。また、第２筐体２の表示部５と反対側の前面部の上部には左右一対のマイク穴５４が設けられている。
【００３９】
次に、以上のムービースタイル時において、撮影部７を有するヒンジケース３に対し表示部５を有する第２筐体２を、上部の第２回転軸１２を中心に向こう側に回転すると、表示部５を下から見上げる斜め角度のハイアングルでムービー撮影時のファインダーとして見ることができる。また、第２筐体２を手前側に若干回転すると、表示部５を上から見下ろす斜め角度のローアングルでファインダーとして見ることができる。
【００４０】
そして、第２筐体２をヒンジケース３に対し上部の第２回転軸１２を中心に手前側に回転すると、図１２に示すように、規制プレート１７の下端部が第１回転軸１１の端部外周のカム１９の大径部１９ｂの切り欠き部１９ｃに入り込む。これにより、第１回転軸１１の回転が規制される。
【００４１】
以上において、ブックスタイル時には、図３及び図１４に示したように、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分に設けられる印刷表示は第２筐体２により覆われて見辛くなっている。このため、その表示部５の下部に沿ってサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９に対応した表示がなされる。
【００４２】
また、折り畳み状態では、図８に示したように、２軸ヒンジユニット１０のフレーム１３から第１取付部材２１及び第２取付部材２２が同一方向に平行に向いており、第１筐体１と第２筐体２に対するネジ止め部が上下に位置するため、初期の重ねた際の両筐体１・２のズレを、組立工程の最後にチューニング（あるいはリペア）しやすいように工夫がなされている。
【００４３】
この携帯電話は、縦開き・横開き両用型（ダブルオープン型）のものである。即ち、ヒンジケース３が２軸ヒンジユニット１０の第１回転軸１１を介して第１筐体１の長手方向端部に連結されているとともに、ヒンジケース３が２軸ヒンジユニット１０の第２回転軸１２を介して第２筐体２の長手方向端部に連結されている。ヒンジケース３は、２軸ヒンジユニット１０の第１回転軸１１によって、第１筐体１に対して、第１筐体１の長手方向端部において左右方向に伸びた軸線の周りに回転可能に設けられている。第２筐体２は、２軸ヒンジユニット１０の第２回転軸１２によって、ヒンジケース３に対して、ヒンジケース３の右側部において第２筐体２の長手方向に延びた軸線の周りに回転可能に設けられている。
【００４４】
筐体の放音構造について説明する。
図２０、図２１は、携帯電話を閉じた状態の下面側を示した斜視図である。図２２は、第１筐体１の下面１ｄを示した斜視図である。図２３は、第１筐体１の長手方向に垂直な面の断面図である。
【００４５】
図２０〜図２３に示すように、第１筐体１の長手方向一端部には、二股に分かれた左右一対の突出部１ｂが設けられている。これら突出部１ｂの突出する向きは、第１筐体１の下面１ｄに平行な向きであって第１筐体１の長手方向一端部から第１筐体１の長手方向に延長する向きである。これら突出部１ｂの先端は、丸めた状態に設けられている。
【００４６】
これら突出部１ｂは左右に間隔をおいて配設され、空間としての凹所１ａがこれら突出部１ｂの間に形成されている。この凹所１ａは、第１筐体１の長手方向一端面１ｆと一対の突出部１ｂとによって画されて成る。
【００４７】
図３に示すように、第２筐体２の表示部５が設けられた面であってヒンジケース３側の縁部分には、凸部２ａが形成されている。第１筐体１の上面１ｇであって凹所１ａ側の縁部分には、窪み１ｈが形成されている。携帯電話を閉じた状態では、凸部２ａが窪み１ｈに挿入される。
【００４８】
一方、図２０〜図２３に示すように、第１筐体１の下面１ｄには、矩形状の凹部１ｃが形成されている。なお、第１筐体１の上面１ｇは、操作部４が設けられた面であり、第１筐体１の下面１ｄは、操作部４が設けられた面の反対面である。
【００４９】
凹部１ｃ内には放音孔１ｅが形成されている。具体的には、放音孔１ｅは凹部１ｃの底に形成されて、第１筐体１の内側まで貫通している。第１筐体１の内側であって放音孔１ｅに対向する位置には、スピーカ６１が取り付けられている。
【００５０】
凹部１ｃが第１筐体１の下面１ｄの凹所１ａ側の縁まで延設されている。そのため、第１筐体１の下面１ｄが載置場所に当接した場合、凹部１ｃの凹所１ａ側の縁部分には、載置場所に密着しない導音部１ｊが形成される。凹部１ｃと凹所１ａが導音部１ｊを介して通じ、凹部１ｃと凹部１ａの間に区切りが無い。
一方、凹部１ｃの左右両側の部分及び凹所１ａの反対側の部分が第１筐体１の下面１ｄの縁まで延設されておらず、凹部１ｃの左右両側及び凹所１ａの反対側が第１筐体１の下面１ｄによって囲まれている。そのため、凹部１ｃの左右両側の縁及び凹所１ａの反対側の縁には、第１筐体１の下面１ｄと凹部１ｃの底との間の段差が有る。
【００５１】
凹所１ａ内に配置された下ケース３４は、凹所１ａの左右両側の壁面に、つまり凹所１ａの左右両側の突出部１ｂに当接している。一方、下ケース３４は、第１筐体１の長手方向一端面１ｆから離れている。そのため、第１筐体１の端面１ｆと下ケース３４との間には第１の隙間が形成され、その第１の隙間が第１筐体１の下面１ｄから上面１ｇまで通じている。
【００５２】
携帯電話を閉じた状態では、下ケース３４の突出部３４ａと第１筐体１の突出部１ｂが上下に対向し、これら突出部１ｂ，３４ａの間に第２の隙間が形成されている。また、携帯電話を閉じた状態では、下ケース３４の下部が突出部１ｂの下面よりも僅かに下に突出しており、下ケース３４の下面３４ｂ（撮影部７及び照明部８が設けられた面の反対面）と突出部１ｂの下面との間に段差が生じている。
【００５３】
図２４は、スピーカ６１から出力された音の伝播する様子を矢印で示したものである。携帯電話を閉じた状態で第１筐体１の下面１ｄを載置場所に向けて、第１筐体１を載置場所に載置すると、第１筐体１の下面１ｄが載置場所に当接する。
【００５４】
そうすると、第１筐体１の下面１ｄが載置場所に接触し、第１筐体１の下面１ｄが載置面となる。スピーカ６１から出力された音が放音孔１ｅを通じて凹部１ｃに放音されるが、音が凹部１ｃ内にこもることがない。凹部１ｃが第１筐体１の下面１ｄの凹所１ａ側の縁まで延設され、凹部１ｃと凹所１ａが導音部１ｊによって連なっているためである。従って、放音孔１ｅから凹部１ｃ内に放音された音は、導音部１ｊによって、第１筐体１の端面１ｆと下ケース３４との間の第１の隙間に導かれる。なお、携帯電話を閉じた状態では、第１筐体１の端面１ｆと下ケース３４との間の第１の隙間は、第２筐体２に形成された凸部２ａによって部分的に塞がれるが、完全には塞がれない。
【００５５】
突出部１ｂの先端部が丸められているので、突出部１ｂと載置場所との間には第３の隙間が形成される。そのため、導音部１ｊによって第１筐体１の端面１ｆと下ケース３４との間の第１の隙間に導かれた音は、突出部１ｂと載置場所との間の第３の隙間を通って矢印Ｃのように伝播する。従って、音が、第３の隙間からその外に導かれる。
【００５６】
また、導音部１ｊによって第１筐体１の端面１ｆと下ケース３４との間の第１の隙間に導かれた音は、第１筐体１の端面１ｆと下ケース３４との間の第１の隙間を通って第１筐体１の上面１ｇ側に導かれる。第１筐体１の上面１ｇ側に導かれた音は、矢印Ｄ、Ｅのように、下ケース３４の突出部３４ａと第１筐体１の上面１ｇとの間の第２の隙間を通って第２の隙間の外に導かれる。
【００５７】
第２回転軸１２を中心にして第２筐体２をヒンジケース３に対して横方向に回転して、携帯電話をブックスタイルにすると、凸部２ａが窪み１ｈから外れる。図２５は、ブックスタイルにおける音の伝播する様子を矢印で示したものである。スピーカ６１から凹部１ｃに放音された音は、導音部１ｊによって、第１筐体１の端面１ｆと下ケース３４との間の第１の隙間に導かれる。導音部１ｊによって第１筐体１の端面１ｆと下ケース３４との間の第１の隙間に導かれた音は、矢印Ｆのように、突出部１ｂと載置場所との間の第３の隙間を通って第３の隙間の外に導かれる。また、導音部１ｊによって第１筐体１の端面１ｆと下ケース３４との間の第１の隙間に導かれた音は、矢印Ｇ、Ｈ、Ｊのように、下ケース３４と第１筐体１の端面１ｆとの間の第１の隙間を通って第１筐体１の上面１ｇ側に導かれる。特に、凹所１ａの縁部分に窪み１ｈが形成されているから、音が矢印Ｇ、Ｈ、Ｊのように拡がる。そのため、表示部５に向き合って表示部５を見ているユーザにとっては正面から音が聞こえる。
【００５８】
図１２に示すように、第１回転軸１２を中心にして第２筐体２及びヒンジケース３を第１筐体１に対して縦方向に回転して、携帯電話を通常オープンスタイルにする。この際、ヒンジケース３の上ケース３５が突出部１ｂの上側から突出部１ｂの下側へ回り込み、ヒンジケース３の上ケース３５が第１筐体１の下面１ｄから下方に突き出ている。そのため、第１筐体１の下面１ｄを載置場所Ｋに向けて、第１筐体１を載置場所Ｋに載置すると、上ケース３５が載置場所Ｋに当たり、第１筐体１の下面１ｄが載置場所Ｋから浮いた状態になり、第１筐体１の下面１ｄと載置場所Ｋとの間に隙間が形成される。この状態でスピーカ６１から音が出力されると、音が第１筐体１の左右両側に伝播する。
【００５９】
以上、実施形態の携帯電話によれば、操作部４を有する第１筐体１と表示部５を有する第２筐体２とを重ねて折り畳んだ状態から相対的に移動させて縦方向に開放させる第１回転軸１１と、同様に横方向に開放させる第２回転軸１２とを、撮影部７とともにヒンジケース３に収納した筐体構造で、第１筐体１と第２筐体２を縦方向に開放させた場合は、ヒンジケース３が第２筐体１とともに移動し、また、横方向に開放させた場合には、ヒンジケース３が第１筐体１とともに移動する構成としたことで、ムービースタイルにして、表示部５の画面を横長で見ながら撮影部７でムービー撮影することができる。
【００６０】
さらに、ムービースタイル時において、撮影部７を有するヒンジケース３に対し表示部５を有する第２筐体２を、中央部の第２回転軸１２を中心に回転して、ムービー撮影時のファインダーとしての表示部５を下から見上げる斜め角度のハイアングルとしたり、表示部５を上から見下ろす斜め角度のローアングルとすることもできる。
【００６１】
また、２軸ヒンジユニット１０は、第１回転軸１１及び第２回転軸１２がヒンジケース３のフレーム１３に組み付けられ、第１回転軸１１に一体の第１取付部材２１が第１筐体１に組み付けられて、第２回転軸１２に一体の第２取付部材２２が第２筐体２に組み付けられる構成なので、強度的に優れている。
【００６２】
そして、第１筐体１内に一端を固定されてヒンジケース３内に他端が固定される第１配線３１を第１回転軸１１の中空部内に通して、第１筐体１内に一端を固定されて第２筐体２内に他端が固定される第２配線３２を第１回転軸１１の中空部内に通して第２回転軸１２の中空部内に通すことで、３つの筐体内の配線をすることができる。
【００６３】
また、凹部１ｃが第１筐体１の下面１ｄの縁部分まで延設されているから、第１筐体２の下面１ｄを載置場所に面接触させても、スピーカ６１の出力音が低減することなく外部に伝播し、音量を確保することができる。
【００６４】
また、放音孔１ｅが第１筐体１の側面に形成されていないので、第１筐体１の側面のデザイン性が向上するとともに、操作ボタン、コネクタ等の設置スペースを第１筐体１の側面に確保することができる。
【００６５】
（他の変形例）
なお、以上の実施形態においては、携帯電話としたが、本発明はこれに限定されるものではなく、ＰＤＡ、ノートパソコン、ウェアラブルパソコン、電卓、電子辞書などで、カメラを有するもの全ての機器に用いることができる。
また、ヒンジケースの入力部は撮影部以外にタッチキー、指紋認証部、その他の入力装置であってもよい。
また、筐体の形状等も任意であり、その他、具体的な細部構造等についても適宜に変更可能であることは勿論である。
また、携帯電話は、いわゆるスライド型のように２つの筐体がスライド機構によって連結されたものでもよいし、いわゆる折り畳み型やリボルバー型のように一軸ヒンジユニットによって２つの筐体が連結されたものでもよいし、いわゆる回転二軸ヒンジ型のように二軸ヒンジユニットによって２つの筐体が連結されたものでもよい。また、いわゆるサイクロイド型であってもよいし、いわゆるストレート型であってもよい。
なお、折り畳み型の場合、例えば、ヒンジケース３と第２筐体２が一体に組み付けられてヒンジケース３と第２筐体２が固定され、軸線を左右方向に向けた回転軸が突出部１ｂと下ケース３４との間を貫通し、突出部１ｂがその回転軸を中心にして下ケース３４に対して回転可能に設けられている。そのため、携帯電話を図３のようにブックスタイルにすることができないが、図２のようにオープン状態にすることができる。
【符号の説明】
【００６６】
１  第１筐体
１ａ  凹所
１ｂ  突出部
１ｃ  下面（載置面）
１ｄ  凹部
１ｆ  端面
１ｇ  上面（裏面）
１ｊ  導音部
２  第２筐体
３  ヒンジケース
３４ａ  突出部（第２突出部）
６１  スピーカ
Ｋ  載置場所
【図１】
2010263525.tif 000003
【図２】
2010263525.tif 000004
【図３】
2010263525.tif 000005
【図４】
2010263525.tif 000006
【図７】
2010263525.tif 000007
【図８】
2010263525.tif 000008
【図９】
2010263525.tif 000009
【図１０】
2010263525.tif 000010
【図１１】
2010263525.tif 000011
【図１２】
2010263525.tif 000012
【図１３】
2010263525.tif 000013
【図１４】
2010263525.tif 000014
【図１５】
2010263525.tif 000015
【図１６】
2010263525.tif 000016
【図１７】
2010263525.tif 000017
【図１８】
2010263525.tif 000018
【図１９】
2010263525.tif 000019
【図２０】
2010263525.tif 000020
【図２１】
2010263525.tif 000021
【図２２】
2010263525.tif 000022
【図２３】
2010263525.tif 000023
【図２４】
2010263525.tif 000024
【図２５】
2010263525.tif 000025
【図５】
2010263525.tif 000026
【図６】
2010263525.tif 000027